(57)【要約】      （修正有）【課題】ターンテーブルが予め設定された回転数で回転しているかどうかを確認できるレコードプレーヤ用スタビライザーを提供する。【解決手段】予め設定された複数の回転周期で回転するターンテーブルのシャフトに装着され、ターンテーブル上に載置されたレコード盤上に載置されるレコードプレーヤ用スタビライザー１Ａであって、平面視において真円状に配置された複数の発光手段ＬＥＤ１、ＬＥＤ６４等を含むインジケータ部８と、予め設定された発光周期で発光手段ＬＥＤ１、ＬＥＤ６４等をターンテーブルの回転方向とは逆方向に順次発光させる発光制御部９、１０と、を備える。さらに、複数の発光手段ＬＥＤ１、ＬＥＤ６４等は、それぞれ異なる色の光を発する複数のＬＥＤを含み、発光周期は、光の色ごとに異なる値に設定されており、複数の発光手段ＬＥＤ１、ＬＥＤ６４等から得られる複数の色の光の軌跡は、それぞれ複数の回転周期の各周期ごとに真円を描く。【選択図】図１
0003182500.tif 000002
【実用新案登録請求の範囲】
【請求項１】
予め設定された複数の回転周期で回転するターンテーブルのシャフトに装着され、前記ターンテーブル上に載置されたレコード盤上に載置されるレコードプレーヤ用スタビライザーであって、
平面視において真円状に配置された複数の発光手段を含むインジケータ部と、
予め設定された発光周期で前記発光手段を前記ターンテーブルの回転方向とは逆方向に順次発光させる発光制御部と、
を備え、
前記複数の発光手段は、それぞれ異なる色の光を発する複数のＬＥＤを含み、
前記発光周期は、光の色ごとに異なる値に設定されており、
前記複数の発光手段から得られる複数の色の光の軌跡は、それぞれ前記複数の回転周期の各周期ごとに真円を描くことを特徴とするレコードプレーヤ用スタビライザー。
【請求項２】
前記シャフトに装着されているか否かを検出するためのシャフト検出部をさらに備え、
前記発光制御部は、前記シャフト検出部により前記シャフトへの装着が検出されたことをきっかけとして、制御動作を開始することを特徴とする請求項１に記載のレコードプレーヤ用スタビライザー。
【請求項３】
前記インジケータ部に電力を供給するバッテリ部をさらに備え、
前記バッテリ部は、前記シャフト検出部で前記シャフトへの装着が検出されていない場合に、前記インジケータ部への電力の供給を停止することを特徴とする請求項２に記載のレコードプレーヤ用スタビライザー。
【請求項４】
前記ターンテーブルの回転の有無を検出するための回転検出部をさらに備え、
前記発光制御部は、前記回転検出部で前記ターンテーブルの回転が検出されたことをきっかけとして、制御動作を開始することを特徴とする請求項１に記載のレコードプレーヤ用スタビライザー。
【請求項５】
前記インジケータ部に電力を供給するバッテリ部をさらに備え、
前記バッテリ部は、前記回転検出部で前記ターンテーブルの回転が検出されていない場合に、前記インジケータ部への電力の供給を停止することを特徴とする請求項４に記載のレコードプレーヤ用スタビライザー。
【考案の詳細な説明】
【技術分野】
【０００１】
本考案は、レコードプレーヤ用スタビライザーに関する。
【背景技術】
【０００２】
一般に、レコード盤の外周部のうねり変形を修正したり、回転中のレコード盤の微振動を抑制したりするためには、レコード盤中央のレーベル部上に載置されるレコードプレーヤ用スタビライザーが用いられている。従来のレコードプレーヤ用スタビライザーとしては、レコード盤に対する押圧力を任意に調節できるものが知られている（例えば、特許文献１参照）
【０００３】
このレコードプレーヤ用スタビライザーによれば、レコード盤のうねり変形の度合いや回転中のレコード盤の微振動の度合いに応じて押圧力を調整することで、レコードプレーヤは、レコード盤に録音された音を忠実に再生することができる。
【先行技術文献】
【特許文献】
【０００４】
【特許文献１】特開２００３−２７２１０１号公報
【考案の概要】
【考案が解決しようとする課題】
【０００５】
ところで、レコードプレーヤがレコード盤に録音された音を忠実に再生するためには、レコード盤のうねり変形や回転中の微振動を抑制するだけでなく、レコード盤が載置されるターンテーブルを予め設定された回転数で回転させる必要がある。
【０００６】
しかしながら、一般のレコードプレーヤでは、ターンテーブルの回転数（毎分３３と１／３回転、毎分４５回転、毎分７８回転）を予め設定しておくことができるが、ターンテーブルの回転数を計測するための手段はなんら設けられていないため、ターンテーブルが予め設定された回転数で回転しているかどうかを確認することはできなかった。
【０００７】
また、上記従来のレコードプレーヤ用スタビライザーは単なる重量体に過ぎないため、上記従来のレコードプレーヤ用スタビライザーを用いても、当然ながら、ターンテーブルが予め設定された回転数で回転しているかどうか確認できなかった。
【０００８】
本考案は上記事情に鑑みてなされたものであって、その課題とするところは、ターンテーブルが予め設定された回転数で回転しているかどうかを確認できるレコードプレーヤ用スタビライザーを提供することにある。
【課題を解決するための手段】
【０００９】
上記課題を解決するために、本考案に係るレコードプレーヤ用スタビライザーは、（１）予め設定された複数の回転周期で回転するターンテーブルのシャフトに装着され、ターンテーブル上に載置されたレコード盤上に載置されるレコードプレーヤ用スタビライザーであって、平面視において真円状に配置された複数の発光手段を含むインジケータ部と、予め設定された発光周期で発光手段をターンテーブルの回転方向とは逆方向に順次発光させる発光制御部と、を備え、複数の発光手段は、それぞれ異なる色の光を発する複数のＬＥＤを含み、発光周期は、光の色ごとに異なる値に設定されており、複数の発光手段から得られる複数の色の光の軌跡は、それぞれ複数の回転周期の各周期ごとに真円を描くことを特徴とする。
【００１０】
この構成では、複数の色の光の軌跡が予め設定された回転周期の各周期ごとに真円を描くので、ターンテーブルが予め設定された回転数で回転している場合は、当該回転数（回転周期）に対応する光の軌跡は止まっているように見える。したがって、この構成によれば、ユーザは、光の軌跡が止まって見えるか否かにより、ターンテーブルが予め設定された回転数で回転している否かを判断することができる。さらに、この構成によれば、どの色の光の軌跡が止まって見えるかにより、ターンテーブルの回転数を特定することもできる。
【００１１】
上記（１）のレコードプレーヤ用スタビライザーでは、（２）シャフトに装着されているか否かを検出するためのシャフト検出部をさらに備えている場合、発光制御部は、シャフト検出部によりシャフトへの装着が検出されたことをきっかけとして、制御動作を開始するよう構成できる。
【００１２】
上記（２）のレコードプレーヤ用スタビライザーでは、（３）インジケータ部に電力を供給するバッテリ部をさらに備えている場合、バッテリ部は、シャフト検出部でシャフトへの装着が検出されていない場合に、インジケータ部への電力の供給を停止するよう構成できる。
【００１３】
これらの構成によれば、シャフトに装着されているときだけ発光手段を発光させることができるので、消費電力を低減させることができる。
【００１４】
また、上記（１）のレコードプレーヤ用スタビライザーでは、（４）ターンテーブルの回転の有無を検出するための回転検出部をさらに備えている場合、発光制御部は、回転検出部でターンテーブルの回転が検出されたことをきっかけとして、制御動作を開始するよう構成できる。
【００１５】
上記（４）のレコードプレーヤ用スタビライザーでは、（５）インジケータ部に電力を供給するバッテリ部をさらに備えている場合、バッテリ部は、回転検出部でターンテーブルの回転が検出されていない場合に、インジケータ部への電力の供給を停止するよう構成できる。
【００１６】
これらの構成によれば、ターンテーブルが回転しているときだけ発光手段を発光させることができるので、消費電力を低減させることができる。
【考案の効果】
【００１７】
本考案によれば、ターンテーブルが予め設定された回転数で回転しているかどうかを確認できるレコードプレーヤ用スタビライザーを提供することができる。
【図面の簡単な説明】
【００１８】
【図１】本考案の第１実施形態に係るレコードプレーヤ用スタビライザーであって、（Ａ）は斜視図、（Ｂ）は平面図、（Ｃ）は（Ｂ）のＣ−Ｃ’線における断面図である。
【図２】本考案の第１実施形態に係るレコードプレーヤ用スタビライザーの回路図である。
【図３】本考案の第２実施形態に係るレコードプレーヤ用スタビライザーの斜視図である。
【図４】本考案の第１変形例に係るレコードプレーヤ用スタビライザーの断面図である。
【図５】本考案の第２変形例に係るレコードプレーヤ用スタビライザーの断面図である。
【考案を実施するための形態】
【００１９】
以下、添付図面を参照して、本考案に係るレコードプレーヤ用スタビライザーの好ましい実施形態について説明する。
【００２０】
［第１実施形態］
図１（Ａ）〜（Ｃ）に、本考案の第１実施形態に係るレコードプレーヤ用スタビライザー１Ａを示す。同図に示すように、レコードプレーヤ用スタビライザー１Ａは、円筒形状の筺体２と、ターンテーブルのシャフトが挿入される挿入孔３が設けられた底板４と、透明な天板５と、天板５の近傍に天板５と平行に設けられた回路基板６とを備えている。筐体２内部の挿入孔３近傍には、本考案の「バッテリ部」に相当する電池７を固定するための固定部材（不図示）が設けられている。
【００２１】
回路基板６の上面には、平面視において真円状に配置された複数（本実施形態では６４個）の発光手段ＬＥＤ１〜６４を含むインジケータ部８と、発光手段ＬＥＤ１〜６４の発光を制御するＣＰＵ９と、水晶発振器１０と、電池７が逆接続された際の保護素子としてのＦＥＴ１１とが設けられている。ＣＰＵ９および水晶発振器１０は、本考案における「発光制御部」に相当する。
【００２２】
回路基板６の下面には、ボールスイッチ等のメカニカルスイッチ１２と、ターンテーブルの回転の有無を検出する回転検出センサ（本考案の「回転検出部」に相当）１３とが設けられている。
【００２３】
メカニカルスイッチ１２は、筺体２の傾きが変化したときにオンし、筺体２の傾きが一定時間変化しないときにオフする。メカニカルスイッチ１２がオンすると、電池７からインジケータ部８、ＣＰＵ９、水晶発振器１０および回転検出センサ１３に電力が供給される。
【００２４】
回転検出センサ１３は、筺体２が回転する際に発生する遠心力に応じて抵抗値が変化する抵抗素子を含み、当該抵抗素子の抵抗値によってターンテーブルの回転の有無を検出する。ＣＰＵ９は、回転検出センサ１３でターンテーブルの回転が検出されたことをきっかけとして制御動作を開始する。
【００２５】
図２に示すように、発光手段ＬＥＤ１〜６４は、それぞれ青色の光を発する青色ＬＥＤ（Ｂ）と、緑色の光を発する緑色ＬＥＤ（Ｇ）と、赤色の光を発する赤色ＬＥＤ（Ｒ）と、各ＬＥＤに直列接続された電流制限用の微小抵抗から構成されている。また、発光手段ＬＥＤ１〜６４は、発光手段ＬＥＤ１〜１６と、発光手段ＬＥＤ１７〜３２と、発光手段ＬＥＤ３３〜４８と、ＬＥＤ４９〜６４の４つのグループに分かれており、これら４つのグループの発光手段が並列接続されている。
【００２６】
ＣＰＵ９は、水晶発振器１０から出力された基準クロックに基づいて、予め設定された発光周期で発光手段ＬＥＤ１〜６４をターンテーブルの回転方向とは逆方向に順次発光させる。水晶発振器１０から出力される基準クロックは、ターンテーブルの回転数（毎分３３と１／３回転、毎分４５回転、毎分７８回転）の公倍数となる周波数（本実施形態では、１．８４３２ＭＨｚ）に設定されている。ＣＰＵ９は、基準クロックをそれぞれ（１／（３３＋１／３））×Ｎ分周、（１／４５）×Ｎ分周、（１／７８）×Ｎ分周（ただし、Ｎは正の整数）したクロックに基づいて、発光手段ＬＥＤ１〜６４を予め設定された発光周期で発光させることができる。
【００２７】
発光手段ＬＥＤ１〜６４の発光周期は、光の色ごとに異なる値に設定されている。具体的には、青色ＬＥＤ（Ｂ）の発光周期は、青色ＬＥＤ（Ｂ）を順次発光させることにより得られる光の軌跡が、毎分３３と１／３回転（３分で１００回転）するターンテーブルが１回転する時間（第１回転周期）ごとに真円を描くように設定されている。緑色ＬＥＤ（Ｇ）の発光周期は、緑色ＬＥＤ（Ｇ）を順次発光させることにより得られる光の軌跡が、毎分４５回転するターンテーブルが１回転する時間（第２回転周期）ごとに真円を描くように設定されている。また、赤色ＬＥＤ（Ｒ）の発光周期は、赤色ＬＥＤ（Ｒ）を順次発光させることにより得られる光の軌跡が、毎分７８回転するターンテーブルが１回転する時間（第３回転周期）ごとに真円を描くように設定されている。
【００２８】
上述したように、発光手段ＬＥＤ１〜６４は４つのグループに分かれているので、各色のＬＥＤは４つ同時に発光する。具体的には、ＣＰＵ９による制御動作が開始すると、発光手段ＬＥＤ１に含まれる３色のＬＥＤ（ＲＧＢ）と、発光手段ＬＥＤ１７に含まれる３色のＬＥＤ（ＲＧＢ）と、発光手段ＬＥＤ３３に含まれる３色のＬＥＤ（ＲＧＢ）と、発光手段ＬＥＤ４９に含まれる３色のＬＥＤ（ＲＧＢ）とが同時に発光する。そして、発光手段ＬＥＤ１、１７、３３、４９に含まれる青色ＬＥＤ（Ｂ）から始まる４つの光の軌跡が、それぞれ第１回転周期ごとに真円を描き、発光手段ＬＥＤ１、１７、３３、４９に含まれる緑色ＬＥＤ（Ｇ）から始まる４つの光の軌跡が、それぞれ第２回転周期ごとに真円を描き、発光手段ＬＥＤ１、１７、３３、４９に含まれる赤色ＬＥＤ（Ｒ）から始まる４つの光の軌跡が、それぞれ第３回転周期ごとに真円を描く。
【００２９】
光の軌跡が真円を描く方向はターンテーブルの回転方向とは逆になっているので、ターンテーブルが予め設定された回転数で回転しているときに天板５を通して真上から光の軌跡を見ると、上記回転数に対応した色の光の軌跡は止まって見える。具体的には、ターンテーブルが毎分３３と１／３回転で回転しているときは、青色ＬＥＤ（Ｂ）の光の軌跡のみが止まって見え、ターンテーブルが毎分４５回転で回転しているときは、緑色ＬＥＤ（Ｇ）の光の軌跡のみが止まって見え、ターンテーブルが毎分７８回転で回転しているときは、赤色ＬＥＤ（Ｒ）の光の軌跡のみが止まって見える。一方、ターンテーブルの回転数が、毎分３３と１／３回転、毎分４５回転、毎分７８回転のいずれでもないときは、３色すべての光の軌跡が動いて見える。
【００３０】
結局、本実施形態に係るレコードプレーヤ用スタビライザー１Ａによれば、ターンテーブルの回転中に光の軌跡が止まって見えるか否かにより、ターンテーブルが予め設定された回転数で回転しているかどうかを確認することができる。しかも、本実施形態に係るレコードプレーヤ用スタビライザー１Ａによれば、どの色の光の軌跡が止まって見えるかにより、ターンテーブルがどの回転数で回転しているかを特定することもできる。
【００３１】
［第２実施形態］
図３に、本考案の第２実施形態に係るレコードプレーヤ用スタビライザー１Ｂを示す。同図に示すように、レコードプレーヤ用スタビライザー１Ｂは、不透明な天板５’を備えている点、および側面から発光手段ＬＥＤ１〜６４の光の軌跡を確認できる円筒形状の透明板１４が設けられた筺体２’を備えている点において、第１実施形態に係るレコードプレーヤ用スタビライザー１Ａと異なっている。
【００３２】
本実施形態に係るレコードプレーヤ用スタビライザー１Ｂによれば、ターンテーブルの回転中に透明板１４を通して真横から見たときに、発光手段ＬＥＤ１〜６４の光の軌跡が止まって見えるか否かにより、ターンテーブルが予め設定された回転数で回転しているかどうかを確認することができる。
【００３３】
以上、本考案に係るレコードプレーヤ用スタビライザーの好ましい実施形態について説明したが、本考案は上記各実施形態に限定されるものではない。
【００３４】
例えば、レコードプレーヤ用スタビライザー１Ａでは、図４（第１変形例）および図５（第２変形例）に示すように、回転検出センサ１３に替えて、シャフトに装着されているか否かを検出するための近接スイッチ１５またはマイクロスイッチ１６（いずれも本考案の「シャフト検出部」に相当）を、回路基板６の下面中央に設けてもよい。近接スイッチ１５またはマイクロスイッチ１６を設けた場合、ＣＰＵ９は、近接スイッチ１５またはマイクロスイッチ１６でシャフトへの装着が検出されたことをきっかけとして制御動作を開始するよう構成することが好ましい。なお、近接スイッチ１５としては、フォトインタラプタや磁性体センサ等を用いることができる。
【００３５】
上記各実施形態に係るレコードプレーヤ用スタビライザー１Ａ、１Ｂでは、メカニカルスイッチ１２と回転検出センサ１３とを設けているが、いずれか一方のみでもよい。また、上記各変形例に係るレコードプレーヤ用スタビライザーでは、メカニカルスイッチ１２と近接スイッチ１５（またはマイクロスイッチ１６）とを設けているが、この場合もいずれか一方のみでよい。しかしながら、不使用時の省電力の観点からは、インジケータ部８等への電力の供給を停止できるメカニカルスイッチ１２を設けることが好ましい。
【００３６】
さらに、上記各実施形態および各変形例に係るレコードプレーヤ用スタビライザー１Ａ、１Ｂでは、メカニカルスイッチ１２に替えて、回転検出センサ１３や近接スイッチ１５（またはマイクロスイッチ１６）に同期してオン／オフするスイッチを設けてもよい。かかるスイッチを設けることにより、回転検出センサ１３でターンテーブルの回転が検出されていない場合や、近接スイッチ１５（またはマイクロスイッチ１６）でシャフトへの装着が検出されていない場合に、電池７からインジケータ部８等への電力の供給を停止させることができる。
【００３７】
さらに、上記各実施形態では、６４個の発光手段ＬＥＤ１〜６４によりインジケータ部８を構成しているが、発光手段の数は任意に変更できる。発光手段の数を変更した場合、水晶発振器１０から出力される基準クロックの周波数を最適な値に変更する必要がある。
【００３８】
さらに、上記各実施形態では、６４個の発光手段ＬＥＤ１〜６４の４つのグループに分割しているが、グループ数は任意に変更できる。また、各発光手段を構成するＬＥＤの数も変更できる。例えば、ターンテーブルの回転数が毎分３３と１／３回転と毎分４５回転の２種類しかない場合は、青色ＬＥＤ（Ｂ）と緑色ＬＥＤ（Ｇ）の２色のＬＥＤにより発光手段を構成してもよい。なお、ＬＥＤの色も互いに異なる色であれば任意に変更できる。
【符号の説明】
【００３９】
１Ａ、１Ｂ    レコードプレーヤ用スタビライザー
２、２’    筺体
３    挿入孔
４    底板
５、５’    天板
６    回路基板
７    電池
８    インジケータ部
９    ＣＰＵ
１０    水晶発振器
１１    ＦＥＴ
１２    メカニカルスイッチ
１３    回転検出センサ
１４    透明板
１５    近接スイッチ
１６    マイクロスイッチ
【図１】
0003182500.tif 000003
【図２】
0003182500.tif 000004
【図３】
0003182500.tif 000005
【図４】
0003182500.tif 000006
【図５】
0003182500.tif 000007